(57)【要約】【課題】記録媒体に記録済みの高能率符号化画像の早送り再生において、滑らかな早送り再生を可能とし、早送り再生速度が制御可能な映像再生装置を得ることを目的とする。【解決手段】画像読み出し信号を出力するＮ倍周波数垂直同期信号生成部１８と、同期信号を生成する同期信号生成部２０，２１と、記録媒体１１から高能率符号化画像データを読み出して伸張した画像データを出力する画像データ伸張部１２と、画像データ伸張部１２から出力された画像データをＮ−１枚おきに選択して出力する画像読み飛ばし部１３と、選択された画像データを記憶するバッファ部１４と、画像データをアナログ変換するＤ／Ａ変換部１５と、画像データを表示する画像表示部１６とを有する。【選択図】　　　　図１
2004040580.tif 000002
【特許請求の範囲】
【請求項１】
通常再生時の再生同期信号の周波数に対し所定倍の周波数を有する所定倍同期信号を生成する同期信号生成手段と、
映像の圧縮画像データを伸張し、上記所定倍同期信号に同期させて出力する画像データ伸張手段と、
上記所定倍同期信号に同期して出力された画像データを、上記通常再生時の再生同期信号に基づき画像を間引いて、表示手段に出力し表示させる画像間引き手段とを有することを特徴とする映像再生装置。
【請求項２】
通常再生時の周波数の所定倍の周波数を有する復号クロックを生成する復号クロック生成手段をさらに有し、
画像データ伸張手段に上記復号クロックが入力されて、上記画像データ伸張手段において通常再生時の所定倍の速度で映像の圧縮画像データが伸張されることを特徴とする請求項１記載の映像再生装置。
【請求項３】
ユーザ等からの再生速度指示を受けて通常再生時の周波数のおよび所定倍の周波数のいずれを用いるかを指定する動作指示を出力する所定倍速再生指示検出手段をさらに有することを特徴とする請求項１または請求項２記載の映像再生装置。
【請求項４】
通常再生時の再生同期信号の周波数に対し所定倍の周波数を有する所定倍同期信号を生成する同期信号生成手段と、
映像の圧縮画像データを伸張し、上記所定倍同期信号に同期させて出力する画像データ伸張手段とを有することを特徴とする映像再生装置。
【請求項５】
ユーザ等からの再生速度指示を受けて通常再生時の周波数のおよび所定倍の周波数のいずれを用いるかを指定する動作指示を出力する所定倍速再生指示検出手段をさらに有することを特徴とする請求項３記載の映像再生装置。
【請求項６】
通常再生時の所定倍の周波数にしたときでも画像表示部が表示可能か否かを判断して動作モードを選択してモード通知を出力するモード検出手段と、
上記モード検出手段からの上記モード通知に応じて、同期信号生成手段からの通常再生時の周波数の同期信号および所定倍の周波数の所定倍同期信号のいずれかを選択して読み出し信号として出力する画像読み出し同期信号選択手段と、
上記モード検出手段からの上記モード通知に応じて、画像データ伸張手段からの画像データおよび画像間引き手段からの画像データのいずれかを選択するデータ選択手段とをさらに有し、
上記画像データ伸張手段が上記画像読み出し同期信号選択部からの読み出し同期信号に同期して、映像の圧縮画像データを伸張して出力し、
同期信号生手段が、上記モード検出手段からの上記モード通知に応じて、通常再生時の周波数の同期信号および上記通常再生時の所定倍の周波数の同期信号を生成することを特徴とする請求項１記載の映像再生装置。
【請求項７】
ユーザ等からの再生速度指示を受けて通常再生時の周波数のおよび所定倍の周波数のいずれを用いるかを指定する動作指示を出力する所定倍速再生指示検出手段と、
通常再生時の周波数の所定倍の周波数を有する復号クロックを生成する復号クロック生成手段をさらに有し、
画像データ伸張手段に上記復号クロックが入力されて、上記画像データ伸張手段において通常再生時の所定倍の速度で映像の圧縮画像データが伸張されることを特徴とする請求項６記載の映像再生装置。
【請求項８】
モード検出手段が、画像データ伸張手段が画像読み出し同期信号選択手段からの所定倍の周波数の読み出し信号に同期して復号可能か否かをさらに判断し、
復号可能でない場合には、画像データ伸張手段が画像データを間引いて一部の画像データのみを復号するようにしたことを特徴とする請求項６記載の映像再生装置。
【請求項９】
ユーザ等からの再生速度指示を受けて通常再生時の周波数のおよび所定倍の周波数のいずれを用いるかを指定する動作指示を出力する所定倍速再生指示検出手段をさらに有し、
モード検出手段が、画像データ伸張手段が画像読み出し同期信号選択手段からの所定倍の周波数の読み出し信号に同期して復号可能か否かをさらに判断し、
復号可能でない場合には、画像データ伸張手段が画像データを間引いて一部の画像データのみを復号するようにしたことを特徴とする請求項６記載の映像再生装置。
【発明の詳細な説明】
【０００１】
【発明の属する技術分野】
この発明は、符号化映像データを記録媒体から再生する映像再生装置に関するものである。
【０００２】
【従来の技術】
画像圧縮方式として高能率符号化方式であるＭＰＥＧ（Ｍｏｖｉｎｇ　Ｐｉｃｔｕｒｅ　Ｅｘｐｅｒｔｓ　Ｇｒｏｕｐ　Ｐｈａｓｅ）が各分野で利用されている。
【０００３】
図１２は、例えば特開２０００−３３１４２１公報（特願平１１−１３５８１５号明細書）に記載された従来の映像再生装置を示す構成図である。図１２において、１１０はＭＰＥＧデータであり、１１２はＭＰＥＧフレーム構造識別子挿入装置であり、１１４は記録媒体であり、１１６は識別子が挿入されたＭＰＥＧデータであり、１１８はＭＰＥＧフレーム構造識別子検出装置である。
【０００４】
次に、動作について説明する。
ＭＰＥＧフレーム構造識別挿入装置１１２は、受信したデータであるＭＰＥＧデータ１１０を記録媒体１１４に記録する。ＭＰＥＧフレーム構造識別検出装置１１８は記録媒体１１４に記録されたＭＰＥＧデータ１１６を再生する。ここで、ＭＰＥＧフレーム構造識別子挿入装置１１２は、ＭＰＥＧデータ１１０の各フレーム構造を判定して、各フレーム構造を識別する識別子をトランスポートパケットに組み込んでＭＰＥＧデータ１１６として記録媒体１１４に記録する。ＭＰＥＧフレーム構造識別子検出装置１１８は、この記録されたＭＰＥＧデータ１１６を特殊再生する時に、組み込んだ識別子を読み出して、特殊再生に必要なフレーム構造を有するトランスポートパケットのみを選別、復号する。
【０００５】
デジタル放送受信機や、ＤＶＤハイブリッドデコーダ、ハードディスク記録再生装置等では、ハードディスク装置の大容量化に伴い、記録媒体に番組を蓄積し、タイムシフト視聴する機能を有する。タイムシフト視聴はディスク媒体の高いランダムアクセス性を利用して番組を記録しながら記録済みの任意のシーンから再生することができる。デジタル放送受信機や、ＤＶＤハイブリッドデコーダ、ハードディスク記録再生装置等では、ハードディスク装置の大容量化に伴い、記録媒体に番組を蓄積し、タイムシフト視聴する機能を有する。タイムシフト視聴はディスク媒体の高いランダムアクセス性を利用して番組を記録しながら記録済みの任意のシーンから再生するものである。
【０００６】
特開２０００−３３１４２１公報に記載されている従来の映像再生装置では、例えばＩピクチャだけを再生していくことで記録媒体に記録された映像データの早送り再生を実現している。Ｉピクチャの間隔は、数フレームから十数フレームの場合が多く、Ｉピクチャのみを再生した場合、かなり不連続な映像として表示されてしまう。またＢＳディジタル放送においては、最大間隔が０．５秒と規定されているのみなので、ストリームによって間隔が一定ではない。このためストリームにより早送り速度が異なることにもなる。
【０００７】
【発明が解決しようとする課題】
従来の映像再生装置は以上のように構成されているので、Ｉピクチャのみを再生した場合かなり不連続な映像として表示されてしまうという課題があった。また、ストリームの間隔が一定でない場合に早送り速度が異なるという課題があった。
【０００８】
この発明は上記のような課題を解決するためになされたもので、記録媒体に記録済みの高能率符号化画像の早送り再生において、滑らかな早送り再生を可能とし、早送り再生速度が制御可能な映像再生装置を得ることを目的とする。
【０００９】
【課題を解決するための手段】
この発明に係る映像再生装置は、通常再生時の再生同期信号の周波数に対し所定倍の周波数を有する所定倍同期信号を生成する同期信号生成手段と、映像の圧縮画像データを伸張し、所定倍同期信号に同期させて出力する画像データ伸張手段と、所定倍同期信号に同期して出力された画像データを、通常再生時の再生同期信号に基づき画像を間引いて、表示手段に出力し表示させる画像間引き手段とを有するものである。
【００１０】
この発明に係る映像再生装置は、通常再生時の周波数の所定倍の周波数を有する復号クロックを生成する復号クロック生成手段をさらに有し、画像データ伸張手段に復号クロックが入力されて、画像データ伸張手段において通常再生時の所定倍の速度で映像の圧縮画像データが伸張されるものである。
【００１１】
この発明に係る映像再生装置は、ユーザ等からの再生速度指示を受けて通常再生時の周波数のおよび所定倍の周波数のいずれを用いるかを指定する動作指示を出力する所定倍速再生指示検出手段をさらに有するものである。
【００１２】
この発明に係る映像再生装置は、通常再生時の再生同期信号の周波数に対し所定倍の周波数を有する所定倍同期信号を生成する同期信号生成手段と、映像の圧縮画像データを伸張し、所定倍同期信号に同期させて出力する画像データ伸張手段とを有するものである。
【００１３】
この発明に係る映像再生装置は、通常再生時の所定倍の周波数にしたときでも画像表示部が表示可能か否かを判断して動作モードを選択してモード通知を出力するモード検出手段と、モード検出手段からのモード通知に応じて、同期信号生成手段からの通常再生時の周波数の同期信号および所定倍の周波数の所定倍同期信号のいずれかを選択して読み出し信号として出力する画像読み出し同期信号選択手段と、モード検出手段からのモード通知に応じて、画像データ伸張手段からの画像データおよび画像間引き手段からの画像データのいずれかを選択するデータ選択手段とをさらに有し、画像データ伸張手段が画像読み出し同期信号選択部からの読み出し同期信号に同期して、映像の圧縮画像データを伸張して出力し、同期信号生手段が、モード検出手段からのモード通知に応じて、通常再生時の周波数の同期信号および通常再生時の所定倍の周波数の同期信号を生成するものである。
【００１４】
この発明に係る映像再生装置は、ユーザ等からの再生速度指示を受けて通常再生時の周波数のおよび所定倍の周波数のいずれを用いるかを指定する動作指示を出力する所定倍速再生指示検出手段と、通常再生時の周波数の所定倍の周波数を有する復号クロックを生成する復号クロック生成手段をさらに有し、画像データ伸張手段に復号クロックが入力されて、画像データ伸張手段において通常再生時の所定倍の速度で映像の圧縮画像データが伸張されるものである。
【００１５】
この発明に係る映像再生装置は、モード検出手段が、画像データ伸張手段が画像読み出し同期信号選択手段からの所定倍の周波数の読み出し信号に同期して復号可能か否かをさらに判断し、復号可能でない場合には、画像データ伸張手段が画像データを間引いて一部の画像データのみを復号するようにしたものである。
【００１６】
この発明に係る映像再生装置は、ユーザ等からの再生速度指示を受けて通常再生時の周波数のおよび所定倍の周波数のいずれを用いるかを指定する動作指示を出力する所定倍速再生指示検出手段をさらに有し、モード検出手段が、画像データ伸張手段が画像読み出し同期信号選択手段からの所定倍の周波数の読み出し信号に同期して復号可能か否かをさらに判断し、復号可能でない場合には、画像データ伸張手段が画像データを間引いて一部の画像データのみを復号するようにしたものである。
【００１７】
【発明の実施の形態】
以下、この発明の実施の一形態を説明する。
実施の形態１．
図１は、この発明の実施の形態１に係る映像再生装置のブロック図である。図１において、１１は記録媒体であり、１２は画像データ伸張部であり、１３は画像読み飛ばし部であり、１４はバッファ部であり、１５はＤ／Ａ変換部であり、１６は画像表示部であり、１７はＮ倍速再生指示検出部であり、１８はＮ倍周波数垂直同期信号生成部であり、１９はシステムクロック生成部であり、２０は水平同期信号生成部であり、２１は垂直同期信号生成部である。
【００１８】
ＭＰＥＧにおいては、画像はＩ、Ｐ、Ｂの３種類のピクチャによって画像を構成している。このうち他のピクチャなしで復号できるのはＩピクチャのみである。したがって、ランダムアクセスのように前後関係の崩れるような操作は、Ｉピクチャにアクセスすることにより実現する。早送りではＩ、Ｐ、Ｂピクチャのうち、Ｉピクチャのみを間欠的にアクセスすることで実現することが一般的であるが、滑らかな映像が得られない。以下、このようなＭＰＥＧ映像ストリーム等の高能率符号化データが予め記録媒体に記録され、これを再生する映像再生装置について説明する。
【００１９】
次に動作について説明する。
まず、通常動作を説明する。
記録媒体１１から読み出された高能率符号化データは、画像データ伸張部１２にて、システムクロック生成部１９からのシステムクロックを復号クロックとして復号される。Ｎ倍速再生指示検出部１７は、Ｎ倍周波数垂直同期信号生成部１８および画像読み飛ばし部１３に、通常の動作指示を通知する。Ｎ倍周波数垂直同期信号生成部１８では、Ｎ倍速再生指示検出部１７からの通常の動作指示により、通常の周波数の画像読み出し信号を発生し、画像データ伸張部１２および画像読み飛ばし部１３に入力する。画像データ伸張部１２では、この画像読み出し信号をトリガとして、復号された１枚の画像データが出力される。
【００２０】
画像読み飛ばし部１３では、Ｎ倍速再生指示検出部１７からの通常再生指示を受信すると、画像データ伸張部１２から入力される復号された画像データをそのままバッファ部１４に転送する。またシステムクロック生成部１９から出力されるシステムクロックが、垂直同期信号生成部２１および水平同期信号生成部２０に供給されて、通常の周波数の垂直同期信号および水平同期信号が、それぞれ生成される。通常の周波数の垂直同期信号および水平同期信号は、Ｄ／Ａ変換部１５および画像表示部１６に供給される。
【００２１】
バッファ部１４では、垂直同期信号生成部２１からの通常の周波数の垂直同期信号をトリガとして１枚の画像データが通常のレートで出力される。出力された画像データは、Ｄ／Ａ変換部１５でアナログ信号に変換され、画像表示部１６にて通常の再生速度で画像が表示される。
【００２２】
次にＮ倍速再生時の動作を説明する。
ここで画像データ伸張部１２は、入力される高能率符号化データのビットレートが通常時のＮ倍になった場合でも、破綻なく復号処理できる能力をもっているものとする。ユーザからのＮ倍速再生指示等をＮ倍速再生指示検出部１７が検出すると、Ｎ倍周波数垂直同期信号生成部１８および画像読み飛ばし部１３に、Ｎ倍速再生の動作指示を通知する。Ｎ倍周波数垂直同期信号生成部１８では、Ｎ倍速再生の動作指示により通常の周波数のＮ倍の周波数の画像読み出し信号を発生し、画像データ伸張部１２および画像読み飛ばし部１３に入力する。画像データ伸張部１２には、記録媒体１１から通常のＮ倍のレートで高能率符号化データが入力される。画像データ伸張部１２では、Ｎ倍周波数垂直同期信号生成部１８からのＮ倍の周波数の画像読み出し信号をトリガとして、復号された１枚の画像データが出力される。この結果、出力された画像データは、画像読み飛ばし部１３に通常のＮ倍のビットレートで転送される。
【００２３】
画像読み飛ばし部１３では、Ｎ倍速再生指示検出部１７からＮ倍速再生の動作指示を受信すると、Ｎ倍の周波数の画像読み出し信号に同期して、入力された画像データをＮ−１枚おきに選択して後段のバッファ部１４に転送し、他の画像データは削除する。この結果、画像読み飛ばし部１３からの画像データの出力レートは、通常のビットレートとなる。
【００２４】
一方、水平同期信号生成部２０および垂直同期信号生成部２１は、通常再生動作時と同じように、システムクロック生成部１９からのシステムクロックによりそれぞれ通常の周波数の垂直同期信号および水平同期信号を生成する。バッファ部１４では、垂直同期信号生成部２１で生成された通常の周波数の垂直同期信号をトリガとして１枚の画像データが出力される。出力された画像データは、Ｄ／Ａ変換部１５でアナログ信号に変換され、画像表示部１６にて画像が表示される。
【００２５】
以上のように画像読み飛ばし部１３の入力段までは、データのビットレートは通常のＮ倍であり、画像読み飛ばし部１３の出力段以降は、画像データレートは通常のビットレートとなり、通常の表示装置で表示可能となる。画像表示部１６にて表示される映像は、垂直同期信号の各周期毎に、通常時のＮ−１飛ばしの画像（通常動作時のＮ枚に対して１枚の割合で画像）が表示され、Ｎ倍速再生が実現される。
【００２６】
図３は、実施の形態１に係る映像再生装置の２倍速再生時の動作を示す概要図である。図３において、３１はＮ倍周波数垂直同期信号生成部１８が出力する画像読み出し信号であり、３２は画像読み飛ばし部入力データであり、３３は画像読み飛ばし部出力データであり、３４はバッファ読み出し信号（垂直同期信号）であり、３５はバッファ読み出しデータ（表示画像）である。
【００２７】
ユーザからの２倍速再生指示をＮ倍速再生指示検出部１７が検出すると、Ｎ倍周波数垂直同期信号生成部１８および画像読み飛ばし部１３に、再生速度２の動作指示がＮ倍速再生指示検出部１７から通知される。Ｎ倍周波数垂直同期信号生成部１８では、再生速度２の動作指示により図３に示す画像読み出し信号３１を出力する。一方、垂直同期信号生成部２１で生成される垂直同期信号は、バッファ読み出し信号３４としてバッファ部１４に入力される。垂直同期信号は通常周波数となっており、画像読み出し信号３１はその２倍の周波数となっている。画像データ伸張部１２では、画像読み出し信号３１に同期して、画像読み飛ばし部入力データ３２が出力される。画像読み飛ばし部入力データ３２は画像読み飛ばし部１３に転送される。画像読み飛ばし部１３では画像読み飛ばし部入力データ３２の入力画像の２枚中１枚を出力するように動作し、図３の画像読み飛ばし部出力データ３３のように転送レートが入力レートに対して１／２となって出力される。画像読み飛ばし部出力データ３３は、バッファ部１４に入力される。バッファ部１４に入力された画像読み飛ばし部出力データ３３は、通常の垂直同期信号で読み出されＤ／Ａ変換部１５でアナログ変換され画像表示部１６にて表示画像３５が得られる。この結果、表示画像３５は通常再生時の２倍速で表示されることになる。
【００２８】
以上のように、この実施の形態１の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）とを有するものである。
【００２９】
この実施の形態１の映像再生装置は、ユーザ等からの再生速度指示を受けて通常再生時の周波数のおよび所定倍の周波数のいずれを用いるかを指定する動作指示を出力する所定倍速再生指示検出手段（１７）をさらに有するものである。
【００３０】
以上のように、この実施の形態１によれば、画像データ伸張部が通常時のＮ倍速で全画像データの復号動作を行い、画像読み飛ばし部が復号された画像データをＮ−１枚おきに間引くようにしたので、Ｎ倍速の再生を行うことができ、Ｎの値を比較的小さな整数値にすることで滑らかなＮ倍速再生を行うことができる効果が得られる。
【００３１】
この実施の形態１によれば、画像データ伸張部が全ての画像データを復号して、画像読み飛ばし部が復号された全ての画像データをＮ−１枚飛ばしで間引いて表示するようにしたので、圧縮画像データストリームのデータ構成によらず、表示される画像データは正確にＮ倍速となる効果が得られる。
【００３２】
この実施の形態１によれば、Ｎ倍速再生指示検出部でユーザ等からの再生速度指示を受けて通常の周波数のおよびＮ倍の周波数のいずれを用いるかを指定する動作指示を出力するようにしたので、ユーザ等からの再生速度指示に応じた再生速度でＮ倍速再生を行うことができる効果が得られる。
【００３３】
実施の形態２．
図２は、この発明の実施の形態２に係る映像再生装置のブロック図である。図２において、２３は復号クロック生成部である。その他の構成要素は図１に示す構成要素と等しい。実施の形態１では、画像データ伸張部１２が通常動作でも十分処理能力が高いことを前提としているが、この実施の形態２における画像データ伸張部１２は、復号処理を行うための復号クロックの周波数を上げることにより処理能力を上げるようにしたものである。
【００３４】
次に動作について説明する。
復号クロック生成部２３には、システムクロック生成部１９からのシステムクロックおよびＮ倍速再生指示検出部１７からの動作指示が入力されている。画像データ伸張部１２には、実施の形態１の画像データ伸張部１２へ入力されていたシステムクロック生成部１９からのシステムクロックに代わって、復号クロック生成部２３からの復号クロックが入力される。
【００３５】
復号クロック生成部２３は、Ｎ倍速再生指示検出部１７からの動作指示に応じてその動作が変わり、Ｎ＝１の通常再生時となる動作指示を受けた場合、通常周波数の復号クロックを生成する。Ｎの値が２以上の整数であるＮ倍速再生時となる動作指示を受けた場合、通常時のＮ倍の周波数の復号クロックを生成する。
【００３６】
この復号クロック周波数を、Ｎ倍速再生の動作指示に対応して変更することにより、画像データ伸張部１２の復号処理速度をＮ倍速再生指示検出部１７に入力されたユーザが指定した再生速度に追従させることができる。その他の部分の動作は、実施の形態１と同様である。
【００３７】
この実施の形態２の映像再生装置は、以上のように構成され動作するので、Ｎ倍速の再生を行うことができる。
【００３８】
また、表示画像は全復号画像のうちＮ−１枚飛ばしで画像を選択し表示するため、高能率符号化ストリームのデータ構成によらず、表示される画像は正確にＮ倍速となる。
【００３９】
またＮの値を比較的小さな整数値にすることで、滑らかなＮ倍速再生を行うことができる。
【００４０】
以上のように、この実施の形態２の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）と、通常再生時の周波数の所定倍の周波数を有する復号クロックを生成する復号クロック生成手段（２３）とを有し、画像データ伸張手段（１２）に復号クロックが入力されて、画像データ伸張手段において通常再生時の所定倍の速度で映像の圧縮画像データが伸張されるものである。
【００４１】
この実施の形態２の映像再生装置は、ユーザ等からの再生速度指示を受けて通常再生時の周波数のおよび所定倍の周波数のいずれを用いるかを指定する動作指示を出力する所定倍速再生指示検出手段（１７）をさらに有するものである。
【００４２】
以上のように、この実施の形態２によれば、画像データ伸張部が通常時のＮ倍速で全画像データの復号動作を行い、画像読み飛ばし部が復号された画像データをＮ−１枚おきに間引くようにしたので、Ｎ倍速の再生を行うことができ、Ｎの値を比較的小さな整数値にすることで滑らかなＮ倍速再生を行うことができる効果が得られる。
【００４３】
この実施の形態２によれば、画像データ伸張部が全ての画像データを復号して、画像読み飛ばし部が復号された全ての画像データをＮ−１枚飛ばしで間引いて表示するようにしたので、圧縮画像データストリームのデータ構成によらず、表示される画像データは正確にＮ倍速となる効果が得られる。
【００４４】
この実施の形態２によれば、画像データ伸張部へ供給される復号クロックを復号クロック生成部で生成して、この復号クロックの周波数をＮ倍にすることにより、画像データ伸張部が通常時のＮ倍速で全画像データの復号動作を行うようにしたので、画像データ伸張部の動作速度を高めることができる効果が得られる。
【００４５】
この実施の形態２によれば、Ｎ倍速再生指示検出部でユーザ等からの再生速度指示を受けて通常の周波数のおよびＮ倍の周波数のいずれを用いるかを指定する動作指示を出力するようにしたので、ユーザ等からの再生速度指示に応じた再生速度でＮ倍速再生を行うことができる効果が得られる。
【００４６】
実施の形態３．
図４は、この発明の実施の形態３に係る映像再生装置のブロック図である。図４において、１１は高能率符号化データを記録した記録媒体であり、１２は画像データ伸張部であり、１５はＤ／Ａ変換部であり、１６は画像表示部であり、１７はＮ倍速再生指示検出部であり、１９はシステムクロック生成部であり、２０は水平同期信号生成部であり、２１は垂直同期信号生成部である。
【００４７】
次に動作について説明する。
まず、この実施の形態３の映像再生装置の通常動作を説明する。
記録媒体１１から読み出された高能率符号化映像データは、画像データ伸張部１２にて復号される。Ｎ倍速再生指示検出部１７は、水平同期信号生成部２０および垂直同期信号生成部２１に通常の動作指示を通知する。水平同期信号生成部２０および垂直同期信号生成部２１では、通常の動作指示により通常の周波数の水平同期信号および垂直同期信号をそれぞれ生成し、水平同期信号はＤ／Ａ変換部１５および画像表示部１６に入力され、垂直同期信号は画像データ伸張部１２、Ｄ／Ａ変換部１５および画像表示部１６に入力される。画像データ伸張部１２では、この垂直同期信号をトリガとして、復号された１枚の画像データが出力される。出力された画像データは、Ｄ／Ａ変換部１５でアナログ信号に変換され、画像表示部１６にて通常の再生速度で画像が表示される。
【００４８】
次にＮ倍速再生の動作を説明する。
ここで画像データ伸張部１２は、入力される高能率符号化データのビットレートが通常時のＮ倍になった場合でも、破綻なく復号処理できる能力をもっているものとする。さらに、画像表示部１６は、通常動作時の周波数のＮ倍周波数の水平同期信号および垂直同期信号でも画像表示が可能であるものとする。
【００４９】
ユーザからのＮ倍速再生指示等をＮ倍速再生指示検出部１７が検出すると、水平同期信号生成部２０および垂直同期信号生成部２１に、再生速度Ｎの動作指示を通知する。水平同期信号生成部２０および垂直同期信号生成部２１では、再生速度Ｎの動作指示により通常周波数のＮ倍の周波数の水平同期信号および垂直同期信号をそれぞれ発生し、水平同期信号がＤ／Ａ変換部１５および画像表示部１６に入力され、垂直同期信号が画像データ伸張部１２、Ｄ／Ａ変換部１５および画像表示部１６に入力される。画像データ伸張部１２では、記録媒体１１から通常時のＮ倍のレートで高能率符号化データが転送され、通常周波数のＮ倍の周波数の垂直同期信号をトリガとして、復号された１枚の画像データが出力される。この結果、出力された画像データは、通常のＮ倍のビットレートでＤ／Ａ変換部１５へ転送される。出力された画像データは、Ｄ／Ａ変換部１５でアナログ信号に変換され、画像表示部１６にて画像が表示される。
【００５０】
図５は、実施の形態３に係る映像再生装置の２倍速再生時の動作を示す概要図である。図５において、５１は垂直同期信号生成部２１が出力する通常再生時（通常周波数）の垂直同期信号であり、５２は通常再生時の表示画像であり、５３は垂直同期信号生成部２１が出力する２倍速再生時の垂直同期信号であり、５４は２倍速再生時の表示画像である。
【００５１】
２倍速再生指示をＮ倍速再生指示検出部１７が検出すると、水平同期信号生成部２０および垂直同期信号生成部２１に、再生速度２の動作指示を通知する。垂直同期信号生成部２１では、再生速度２の動作指示により図５に示す２倍速再生時の垂直同期信号５３を出力する。これは通常再生時の垂直同期信号５１の２倍の周波数となっている。画像データ伸張部１２では、この垂直同期信号５１に同期して、画像データが出力され、Ｄ／Ａ変換部１５でアナログ信号に変換され、画像表示部１６で表示される。表示される画像は、図５に示す２倍速再生時の表示画像５４のようになり、画像データ伸張部１２で復号された全画像が、通常再生時の表示画像５２の２倍速で表示されていくことになる。
【００５２】
この実施の形態３の映像再生装置は、以上のように構成され動作するので、Ｎ倍速の再生を行うことができる。
【００５３】
また、表示画像は高能率符号化ストリームの全画像を復号し、Ｎ倍周波数の垂直同期信号に同期して表示されるため、高能率符号化ストリームのデータ構成によらず、表示される画像は正確にＮ倍速となる。
【００５４】
さらに、実施の形態１および実施の形態２では、復号した全データから再生速度に応じて選択された画像のみを表示していたため、再生速度が整数倍のものしか得られないのに対して、この実施の形態３では、全復号画像をＮ倍周波数の垂直同期信号に同期して表示していくため、任意の再生速度で表示が実現できる。
【００５５】
さらに、画像表示部１６で全復号画像をＮ倍速で表示するため、コマ落としによる早送り再生に比較し、非常に滑らかなＮ倍速再生が実現できる。
【００５６】
以上のように、この実施の形態３の映像再生装置は、通常再生時の再生同期信号の周波数に対し所定倍の周波数を有する所定倍同期信号を生成する同期信号生成手段（２０，２１）と、映像の圧縮画像データを伸張し、所定倍同期信号に同期させて出力する画像データ伸張手段（１２）とを有するものである。
【００５７】
この実施の形態３の映像再生装置は、ユーザ等からの再生速度指示を受けて通常再生時の周波数のおよび所定倍の周波数のいずれを用いるかを指定する動作指示を出力する所定倍速再生指示検出手段（１７）をさらに有するものである。
【００５８】
以上のように、この実施の形態３によれば、画像データ伸張部が通常時のＮ倍速で全画像データの復号動作を行い、復号された全ての画像データを表示するようにしたので、Ｎ倍速の再生を行うことができ、Ｎの値を比較的小さな整数値にすることで滑らかなＮ倍速再生を行うことができる効果が得られる。
【００５９】
この実施の形態３によれば、画像データ伸張部が全ての画像データを復号して、復号された全ての画像データを表示するようにしたので、圧縮画像データストリームのデータ構成によらず、表示される画像データは正確にＮ倍速となる効果が得られる。
【００６０】
この実施の形態３によれば、画像データ伸張部へ供給される垂直同期信号を同期信号生成部で生成して、この垂直同期信号に同期して復号された画像データを表示するようにしたので、整数以外のＮに対してもＮ倍速再生を行うことができる効果が得られる。
【００６１】
この実施の形態３によれば、Ｎ倍速再生指示検出部でユーザ等からの再生速度指示を受けて通常の周波数のおよびＮ倍の周波数のいずれを用いるかを指定する動作指示を出力するようにしたので、ユーザ等からの再生速度指示に応じた再生速度でＮ倍速再生を行うことができる効果が得られる。
【００６２】
実施の形態４．
図６は、この発明の実施の形態４に係る映像再生装置のブロック図である。図６において、６１は画像読み出し同期信号選択部であり、６３はモード検出部であり、６２はデータ選択部である。その他の構成要素は図１に示す構成要素と等しい。
【００６３】
この実施の形態４では、実施の形態１の構成と実施の形態３の構成を組み合わせたものであり、実施の形態１の構成に、モード検出部６３、画像読み出し同期信号選択部６１およびデータ選択部６２を追加したものである。
【００６４】
次に動作について説明する。
この実施の形態４の動作は、Ｎ倍速再生の動作指示におけるＮの値に応じて実施の形態１の構成によるＮ倍速再生および実施の形態３の構成によるＮ倍速再生のいずれかを選択するものである。
【００６５】
モード検出部６３では、次のようにしてＮ倍速再生のモードを指定する。即ち、Ｎ倍速再生の動作指示の時に、垂直同期信号生成部２１が生成することになる垂直同期信号の周波数（システムクロックのＮ倍の周波数）が、画像表示部１６が引き込み可能な垂直同期信号の周波数の上限周波数以下であれば、実施の形態３の構成によるＮ倍速再生のモードを選択し、そうでない場合は、実施の形態１の構成によるＮ倍速再生のモードを選択する。
【００６６】
モード検出部６３は、水平同期信号生成部２０、垂直同期信号生成部２１、画像読み出し同期信号選択部６１およびデータ選択部６２に、選択したＮ倍速再生のモード指示を通知する。
【００６７】
図７は実施の形態３の構成によるＮ倍速再生のモードが選択された場合に有効な動作をする部分を示す図である。図８は実施の形態１の構成によるＮ倍速再生のモードが選択された場合に有効な動作をする部分を示す図である。図７および図８において、有効な動作をしている部分は太線で示されている。
【００６８】
図７は、垂直同期信号生成部２１が出力する垂直同期信号の周波数（システムクロックのＮ倍の周波数）が、画像表示部１６が引き込み可能な垂直同期信号周波数の上限周波数以下である場合の有効動作部分を示している。モード検出部６３からのモード指示を水平同期信号生成部２０および垂直同期信号生成部２１がそれぞれ受け、実施の形態３の構成による再生をするように動作する。即ち、通常動作時のＮ倍の周波数の水平同期信号および垂直同期信号をそれぞれ生成することになる。
【００６９】
画像読み出し同期信号選択部６１は、実施の形態３の構成による再生のモード指示を受信すると、垂直同期信号生成部２１が生成した通常時のＮ倍の周波数である垂直同期信号を、画像データ伸張部１２からのデータ読み出しトリガとして選択する。データ選択部６２は実施の形態３の構成による再生のモード指示を受信すると、画像データ伸張部１２からのデータを選択する。これにより画像データ伸張部１２からデータ選択部６２に、通常のＮ倍のビットレートで復号された全画像データが転送される。データ選択部６２からは、画像データ伸張部１２からの出力データがＤ／Ａ変換部１５に転送される。Ｄ／Ａ変換部１５からのアナログ出力は画像表示部１６に転送され、水平同期信号生成部２０および垂直同期信号生成部２１からのＮ倍の周波数の水平同期信号および垂直同期信号に同期してＮ倍速の映像が表示される。
【００７０】
このように実施の形態３と同じ動作を採用することで、復号された全画像データが通常再生時のＮ倍速で表示され、非常に滑らかなＮ倍速表示が得られる。
【００７１】
図８は、垂直同期信号生成部２１が出力する垂直同期信号の周波数（システムクロックのＮ倍の周波数）が、画像表示部１６が引き込み可能な垂直同期信号周波数の上限周波数より高い場合の有効動作部分を示している。この場合、モード検出部６３は、実施の形態１の構成による再生のモード指示を、水平同期信号生成部２０、垂直同期信号生成部２１、画像読み出し同期信号選択部６１およびデータ選択部６２に通知する。水平同期信号生成部２０および垂直同期信号生成部２１はそれぞれモード指示を受け、通常動作時と同じ周波数の水平同期信号および垂直同期信号を生成し、実施の形態１と同じ動作をする。
【００７２】
Ｎ倍周波数垂直同期信号生成部１８は、Ｎ倍の周波数の画像読み出し信号を生成し、Ｎ倍の周波数の画像読み出し信号は画像読み出し同期信号選択部６１で、画像データ伸張部１２の画像データ読み出し信号として選択され、画像データ伸張部１２および画像読み飛ばし部１３にそれぞれ入力される。画像データ伸張部１２では、Ｎ倍の周波数の画像読み出し信号をトリガとして、復号された１枚の画像データが出力される。この結果、出力された画像データは、画像読み飛ばし部１３に通常のＮ倍のビットレートで転送される。画像読み飛ばし部１３では、Ｎ倍の周波数の画像読み出し信号に同期して入力された画像データをＮ−１枚おきに選択して後段のバッファ部１４に画像データを転送し、他の画像データは削除する。この結果、画像読み飛ばし部１３からの画像データ出力レートは、通常のビットレートとなる。
【００７３】
一方、垂直同期信号生成部２１は、通常の周波数の垂直同期信号を生成しており、バッファ部１４では、垂直同期信号生成部２１で生成された通常の周波数の垂直同期信号をトリガとして１枚の画像データが出力される。モード指定を受けたデータ選択部６２は、バッファ部１４からの画像データを選択し、Ｄ／Ａ変換部１５に転送し、画像表示部１６にて画像が表示される。
【００７４】
この結果、画像表示部１６が引き込みができないような再生速度においても、実施の形態１の構成を採用することで、Ｎ倍速の再生が可能となる。
【００７５】
この実施の形態４の映像再生装置は、以上のように構成され動作するので、Ｎの値の範囲がより大きなＮ倍速再生を行うことが可能である。
【００７６】
以上のように、この実施の形態４の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）と、通常再生時の所定倍の周波数にしたときでも画像表示部が表示可能か否かを判断して動作モードを選択してモード通知を出力するモード検出手段（６３）と、モード検出手段（６３）からのモード通知に応じて、同期信号生成手段（１８，２０，２１）からの通常再生時の周波数の同期信号および所定倍の周波数の所定倍同期信号のいずれかを選択して読み出し信号として出力する画像読み出し同期信号選択手段（６１）と、モード検出手段（６３）からのモード通知に応じて、画像データ伸張手段（１２）からの画像データおよび画像間引き手段（１３）からの画像データのいずれかを選択するデータ選択手段（６２）とを有し、画像データ伸張手段（１２）が画像読み出し同期信号選択部からの読み出し同期信号に同期して、映像の圧縮画像データを伸張して出力し、同期信号生手段（１８，２０，２１）が、モード検出手段（６３）からのモード通知に応じて、通常再生時の周波数の同期信号および通常再生時の所定倍の周波数の同期信号を生成するものである。
【００７７】
以上のように、この実施の形態４によれば、Ｎ倍速再生のＮの値によって指定される再生速度が画像表示部が引き込みができる再生速度か否かに応じて、画像データ伸張部で復号された画像データを全て表示するか、画像データ伸張部で復号された画像データをＮ−１枚飛ばしで間引いて表示するかを選択するようにしたので、Ｎの値の範囲がより大きなＮ倍速再生を行うことが可能である効果が得られる。
【００７８】
この実施の形態４によれば、Ｎ倍速再生指示検出部でユーザ等からの再生速度指示を受けて通常の周波数のおよびＮ倍の周波数のいずれを用いるかを指定する動作指示を出力するようにしたので、ユーザ等からの再生速度指示に応じた再生速度でＮ倍速再生を行うことができる効果が得られる。
【００７９】
実施の形態５．
図９は、この発明の実施の形態５に係る映像装置のブロック図である。図９において、６１は画像読み出し同期信号選択部であり、６３はモード検出部であり、６２はデータ選択部である。その他の構成要素は図２に示す構成要素と等しい。
【００８０】
この実施の形態５では、実施の形態２の構成と実施の形態３の構成を組み合わせたものであり、実施の形態２の構成に、モード検出部６３、画像読み出し同期信号選択部６１およびデータ選択部６２を追加したものである。
【００８１】
次に動作について説明する。
この実施の形態５の動作は、Ｎ倍速再生の動作指示におけるＮの値に応じて実施の形態２の構成によるＮ倍速再生および実施の形態３の構成によるＮ倍速再生のいずれかを選択するものである。
【００８２】
モード検出部６３では、次のようにしてＮ倍速再生のモードを指定する。即ち、Ｎ倍速再生の動作指示の時に、垂直同期信号生成部２１が生成することになる垂直同期信号の周波数（システムクロックのＮ倍の周波数）が、画像表示部１６が引き込み可能な垂直同期信号の周波数の上限周波数以下であれば、実施の形態３の構成によるＮ倍速再生のモードを選択し、そうでない場合は、実施の形態２の構成によるＮ倍速再生のモードを選択する。
【００８３】
実施の形態２におけるように、Ｎ倍速再生時の画像データ伸張部１２の処理速度は、復号クロック生成部２３から生成される復号クロックの周波数に依存する。即ち、Ｎ倍速再生時、復号クロック生成部２３から生成される復号クロックが、通常再生時のＮ倍の周波数となり、これにより画像データ伸張部１２での復号レートが、通常時のＮ倍となる。画像データ伸張部１２の以上の動作が異なる以外は、実施の形態４における映像再生装置と同じ動作および効果となる。
【００８４】
以上のように、この実施の形態５の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）と、通常再生時の所定倍の周波数にしたときでも画像表示部が表示可能か否かを判断して動作モードを選択してモード通知を出力するモード検出手段（６３）と、モード検出手段（６３）からのモード通知に応じて、同期信号生成手段（１８，２０，２１）からの通常再生時の周波数の同期信号および所定倍の周波数の所定倍同期信号のいずれかを選択して読み出し信号として出力する画像読み出し同期信号選択手段（６１）と、モード検出手段（６３）からのモード通知に応じて、画像データ伸張手段（１２）からの画像データおよび画像間引き手段（１３）からの画像データのいずれかを選択するデータ選択手段（６２）と、ユーザ等からの再生速度指示を受けて通常再生時の周波数のおよび所定倍の周波数のいずれを用いるかを指定する動作指示を出力する所定倍速再生指示検出手段（１７）と、通常再生時の周波数の所定倍の周波数を有する復号クロックを生成する復号クロック生成手段（２３）とを有し、画像データ伸張手段（１２）が画像読み出し同期信号選択部からの読み出し同期信号に同期して、映像の圧縮画像データを伸張して出力し、同期信号生手段（１８，２０，２１）が、モード検出手段（６３）からのモード通知に応じて、通常再生時の周波数の同期信号および通常再生時の所定倍の周波数の同期信号を生成し、画像データ伸張手段（１２）に復号クロックが入力されて、画像データ伸張手段において通常再生時の所定倍の速度で映像の圧縮画像データが伸張されるものである。
【００８５】
以上のように、この実施の形態５によれば、Ｎ倍速再生のＮの値によって指定される再生速度が画像表示部が引き込みができる再生速度か否かに応じて、画像データ伸張部で復号された画像データを全て表示するか、画像データ伸張部で復号された画像データをＮ−１枚飛ばしで間引いて表示するかを選択するようにしたので、Ｎの値の範囲がより大きなＮ倍速再生を行うことが可能である効果が得られる。
【００８６】
この実施の形態５によれば、画像データ伸張部へ供給される復号クロックを復号クロック生成部で生成して、この復号クロックの周波数をＮ倍にすることにより、画像データ伸張部が通常時のＮ倍速で全画像データの復号動作を行うようにしたので、画像データ伸張部の動作速度を高めることができる効果が得られる。
【００８７】
この実施の形態５によれば、Ｎ倍速再生指示検出部でユーザ等からの再生速度指示を受けて通常の周波数のおよびＮ倍の周波数のいずれを用いるかを指定する動作指示を出力するようにしたので、ユーザ等からの再生速度指示に応じた再生速度でＮ倍速再生を行うことができる効果が得られる。
【００８８】
実施の形態６．
図１０は、この発明の実施の形態６に係る画像再生装置のブロック図である。図１０において、各構成要素は図６と同様である。この実施の形態６では、図６に示された実施の形態４と比べて、モード検出部６３の出力（モード指示）が画像データ伸張部１２にも入力されている。
【００８９】
次に動作について説明する。
モード検出部６３は、通常復号速度のＮ倍の速度で画像データ伸張部１２が復号可能かを判断し、画像データ伸張部１２、画像読み出し同期信号選択部６１、水平同期信号生成部２０、垂直同期信号生成部２１およびデータ選択部６２にモード指定の通知を行う。通常復号速度のＮ倍の速度で復号可能な場合は、実施の形態４における処理を行い、通常復号速度のＮ倍の速度で復号ができない場合は、画像データ伸張部１２がＩピクチャ、または、ＩピクチャおよびＰピクチャのみを復号し、復号された画像データは、通常再生時の再生方法と同じ方法で表示される。
【００９０】
この実施の形態６の映像再生装置は、以上のように構成され動作するので、実施の形態４の場合よりＮの値の範囲がさらに大きなＮ倍速再生を行うことが可能である。
【００９１】
以上のように、この実施の形態６の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）と、通常再生時の所定倍の周波数にしたときでも画像表示部が表示可能か否かを判断して動作モードを選択してモード通知を出力するモード検出手段（６３）と、モード検出手段（６３）からのモード通知に応じて、同期信号生成手段（１８，２０，２１）からの通常再生時の周波数の同期信号および所定倍の周波数の所定倍同期信号のいずれかを選択して読み出し信号として出力する画像読み出し同期信号選択手段（６１）と、モード検出手段（６３）からのモード通知に応じて、画像データ伸張手段（１２）からの画像データおよび画像間引き手段（１３）からの画像データのいずれかを選択するデータ選択手段（６２）とを有し、画像データ伸張手段（１２）が画像読み出し同期信号選択部からの読み出し同期信号に同期して、映像の圧縮画像データを伸張して出力し、同期信号生手段（１８，２０，２１）が、モード検出手段（６３）からのモード通知に応じて、通常再生時の周波数の同期信号および通常再生時の所定倍の周波数の同期信号を生成し、モード検出手段（６３）が、画像データ伸張手段（１２）が画像読み出し同期信号選択手段（６１）からの所定倍の周波数の読み出し信号に同期して復号可能か否かをさらに判断し、復号可能でない場合には、画像データ伸張手段（１２）が画像データを間引いて一部の画像データのみを復号するようにしたものである。
【００９２】
以上のように、この実施の形態６によれば、通常復号速度のＮ倍の速度で画像データ伸張部が復号可能か否かに応じて、Ｉピクチャ、Ｐピクチャ、およびＢピクチャの全てを復号するか、ＩピクチャのみまたはＩピクチャおよびＰピクチャを復号するかを選択するようにしたので、Ｎの値の範囲がさらに大きなＮ倍速再生を行うことが可能となる効果が得られる。
【００９３】
実施の形態７．
図１１は、この発明の実施の形態７に係る映像再生装置のブロック図である。図１１において、各構成要素は図９と同様である。この実施の形態７では、図９に示された実施の形態５と比べて、モード検出部６３の出力（モード指定）が復号クロック生成部２３にも入力されている。
【００９４】
次に動作について説明する。
モード検出部６３は、通常復号時の復号クロック周波数のＮ倍に復号クロックの周波数がなっても、画像データ伸張部１２が復号可能か判断し、復号クロック生成部２３、画像読み出し同期信号選択部６１、水平同期信号生成部２０、垂直同期信号生成部２１およびデータ選択部６２にモード指定の通知を行う。復号クロックの周波数が通常復号時のＮ倍になっても復号可能な場合は、実施の形態５における処理を行い、通常復号速度のＮ倍の速度で復号ができない場合は、画像データ伸張部１２がＩピクチャ、または、ＩピクチャおよびＰピクチャのみを復号し、復号された画像データは、通常再生時の再生方法と同じ方法で表示される。
【００９５】
この実施の形態７の映像再生装置は、以上のように構成され動作するので、実施の形態５の場合よりＮの値の範囲がさらに大きなＮ倍速再生を行うことが可能である。
【００９６】
以上のように、この実施の形態７の映像再生装置は、通常再生時の再生同期信号の周波数に対し所定倍の周波数を有する所定倍同期信号を生成する同期信号生成手段（１８，２０，２１）と、映像の圧縮画像データを伸張し、所定倍同期信号に同期させて出力する画像データ伸張手段（１２）と、所定倍同期信号に同期して出力された画像データを、通常再生時の再生同期信号に基づき画像を間引いて、表示手段に出力し表示させる画像間引き手段（１３）と、通常再生時の所定倍の周波数にしたときでも画像表示部が表示可能か否かを判断して動作モードを選択してモード通知を出力するモード検出手段（６３）と、モード検出手段（６３）からのモード通知に応じて、同期信号生成手段（１８，２０，２１）からの通常再生時の周波数の同期信号および所定倍の周波数の所定倍同期信号のいずれかを選択して読み出し信号として出力する画像読み出し同期信号選択手段（６１）と、モード検出手段（６３）からのモード通知に応じて、画像データ伸張手段（１２）からの画像データおよび画像間引き手段（１３）からの画像データのいずれかを選択するデータ選択手段（６２）と、ユーザ等からの再生速度指示を受けて通常再生時の周波数のおよび所定倍の周波数のいずれを用いるかを指定する動作指示を出力する所定倍速再生指示検出手段（１７）とを有し、画像データ伸張手段（１２）が画像読み出し同期信号選択部からの読み出し同期信号に同期して、映像の圧縮画像データを伸張して出力し、同期信号生手段（１８，２０，２１）が、モード検出手段（６３）からのモード通知に応じて、通常再生時の周波数の同期信号および通常再生時の所定倍の周波数の同期信号を生成し、モード検出手段（６３）が、画像データ伸張手段（１２）が画像読み出し同期信号選択手段（６１）からの所定倍の周波数の読み出し信号に同期して復号可能か否かをさらに判断し、復号可能でない場合には、画像データ伸張手段（１２）が画像データを間引いて一部の画像データのみを復号するようにしたものである。
【００９７】
以上のように、この実施の形態７によれば、通常復号時のＮ倍の周波数の復号クロックで画像データ伸張部が復号可能か否かに応じて、Ｉピクチャ、Ｐピクチャ、およびＢピクチャの全てを復号するか、ＩピクチャのみまたはＩピクチャおよびＰピクチャを復号するかを選択するようにしたので、Ｎの値の範囲がさらに大きなＮ倍速再生を行うことが可能となる効果が得られる。
【００９８】
【発明の効果】
以上のように、この発明によれば、画像データ伸張手段が通常再生時の定数倍速で全画像データの復号動作を行い、画像間引き手段が復号された画像データを間引くようにしたので、定数倍速の再生を行うことができ、定数の値を比較的小さな整数値にすることで滑らかな定数倍速再生を行うことができる効果がある。
【００９９】
この発明によれば、画像データ伸張手段が全ての画像データを復号して、画像間引き手段が復号された全ての画像データを間引くようにしたので、圧縮画像データストリームのデータ構成によらず、表示される画像データは正確に定数倍速となる効果がある。
【０１００】
この発明によれば、Ｎ倍速再生指示検出部でユーザ等からの再生速度指示を受けて通常再生時の周波数のおよび定数倍の周波数のいずれを用いるかを指定する動作指示を出力するようにしたので、ユーザ等からの再生速度指示に応じた再生速度で定数倍速再生を行うことができる効果がある。
【０１０１】
この発明によれば、画像データ伸張手段へ供給される復号クロックを復号クロック生成手段で生成して、この復号クロックの周波数を定数倍にすることにより、画像データ伸張手段が通常再生時の定数倍速で全画像データの復号動作を行うようにしたので、画像データ伸張手段の動作速度を高めることができる効果がある。
【０１０２】
この発明によれば、画像データ伸張手段が通常再生時の定数倍速で全画像データの復号動作を行い、復号された全ての画像データを表示するようにしたので、定数倍速の再生を行うことができ、定数の値を比較的小さな整数値にすることで滑らかな定数倍速再生を行うことができる効果がある。
【０１０３】
この発明によれば、画像データ伸張手段が全ての画像データを復号して、復号された全ての画像データを表示するようにしたので、圧縮画像データストリームのデータ構成によらず、表示される画像データは正確に定数倍速となる効果がある。
【０１０４】
この発明によれば、画像データ伸張手段へ供給される垂直同期信号を同期信号生成手段で生成して、この垂直同期信号に同期して復号された画像データを表示するようにしたので、整数以外の定数に対しても定数倍速再生を行うことができる効果がある。
【０１０５】
この発明によれば、定数倍速再生の定数の値によって指定される再生速度が画像表示部が引き込みができる再生速度か否かに応じて、画像データ伸張手段で復号された画像データを全て表示するか、画像データ伸張手段で復号された画像データを間引いて表示するかを選択するようにしたので、定数の値の範囲がより大きな定数倍速再生を行うことが可能である効果がある。
【０１０６】
この発明によれば、通常復号速度の定数倍の速度で画像データ伸張手段が復号可能か否かに応じて、Ｉピクチャ、Ｐピクチャ、およびＢピクチャの全てを復号するか、ＩピクチャのみまたはＩピクチャおよびＰピクチャを復号するかを選択するようにしたので、定数の値の範囲がさらに大きな定数倍速再生を行うことが可能となる効果がある。
【０１０７】
この発明によれば、通常復号時の定数倍の周波数の復号クロックで画像データ伸張部が復号可能か否かに応じて、Ｉピクチャ、Ｐピクチャ、およびＢピクチャの全てを復号するか、ＩピクチャのみまたはＩピクチャおよびＰピクチャを復号するかを選択するようにしたので、定数の値の範囲がさらに大きな定数倍速再生を行うことが可能となる効果がある。
【図面の簡単な説明】
【図１】この発明の実施の形態１に係る映像再生装置のブロック図である。
【図２】この発明の実施の形態２に係る映像再生装置のブロック図である。
【図３】実施の形態１に係る映像再生装置の２倍速再生時の動作を示す概要図である。
【図４】この発明の実施の形態３に係る映像再生装置のブロック図である。
【図５】実施の形態３に係る映像再生装置の２倍速再生時の動作を示す概要図である。
【図６】この発明の実施の形態４に係る映像再生装置のブロック図である。
【図７】実施の形態３の構成によるＮ倍速再生のモードが選択された場合に有効な動作をする部分を示す図である。
【図８】実施の形態１の構成によるＮ倍速再生のモードが選択された場合に有効な動作をする部分を示す図である。
【図９】この発明の実施の形態５に係る映像装置のブロック図である。
【図１０】この発明の実施の形態６に係る画像再生装置のブロック図である。
【図１１】この発明の実施の形態７に係る映像再生装置のブロック図である。
【図１２】従来の映像再生装置を示す構成図である。
【符号の説明】
１１　記録媒体、１２　画像データ伸張部、１３　画像読み飛ばし部、１４　バッファ部、１５　Ｄ／Ａ変換部、１６　画像表示部、１７　Ｎ倍速再生指示検出部、１８　Ｎ倍周波数垂直同期信号生成部、１９　システムクロック生成部、２０　水平同期信号生成部、２１　垂直同期信号生成部、２３　復号クロック生成部、３１　画像読み出し信号、３２　画像読み飛ばし部入力データ、３３　画像読み飛ばし部出力データ、３４　バッファ読み出し信号、３５　バッファ読み出しデータ、５１　通常再生時の垂直同期信号、５２　通常再生時の表示画像、５３　２倍速再生時の垂直同期信号、５４　２倍速再生時の表示画像、６１　画像読み出し同期信号選択部、６２　データ選択部、６３　モード検出部、１１０ＭＰＥＧデータ、１１２　ＭＰＥＧフレーム構造識別子挿入装置、１１４　記録媒体、１１６　識別子が挿入されたＭＰＥＧデータ、１１８　ＭＰＥＧフレーム構造識別子検出装置。
【図１】
2004040580.tif 000003
【図２】
2004040580.tif 000004
【図３】
2004040580.tif 000005
【図４】
2004040580.tif 000006
【図５】
2004040580.tif 000007
【図６】
2004040580.tif 000008
【図７】
2004040580.tif 000009
【図８】
2004040580.tif 000010
【図９】
2004040580.tif 000011
【図１０】
2004040580.tif 000012
【図１１】
2004040580.tif 000013
【図１２】
2004040580.tif 000014